(57)【要約】  複数の二次電池セルを用いつつ、熱暴走の連鎖を回避した電池パックを提供する。  電池パック（１００）は、互いに直列及び／又は並列に接続している複数の二次電池セルと、複数の二次電池セルを収納する複数の電池収納空間（１６）を有する収納ケース（１０）とを備える。複数の電池収納空間（１６）の数が複数の二次電池セルの数よりも多く、二次電池セルを収納しない電池収納空間（１６）に、吸熱体（６０）を配置する。
2019150773.tif 000002
【特許請求の範囲】
【請求項１】
互いに直列及び／又は並列に接続している複数の二次電池セルと、
前記複数の二次電池セルを収納する複数の電池収納空間を有する収納ケースと、
を備える電池パックであって、
前記複数の電池収納空間の数は、前記複数の二次電池セルの数よりも多く、
前記二次電池セルを収納しない電池収納空間に、吸熱体を配置してなる電池パック。
【請求項２】
請求項１に記載の電池パックであって、
前記二次電池セルが、外装缶を円筒形としてなる電池パック。
【請求項３】
請求項２に記載の電池パックであって、
前記吸熱体が、内部を中空状とする筒状に形成された金属製の部材である電池パック。
【請求項４】
請求項１〜３のいずれか一項に記載の電池パックであって、
前記吸熱体が、その長さを前記二次電池セルよりも短く形成してなる電池パック。
【請求項５】
請求項４に記載の電池パックであって、
前記吸熱体が、前記電池収納空間において、該電池収納空間の長手方向において隣接する、前記二次電池セルが収納された他の電池収納空間に近接する側に偏心して配置されてなる電池パック。
【請求項６】
請求項１〜５のいずれか一項に記載の電池パックであって、
前記吸熱体が、アルミニウム製である電池パック。
【請求項７】
請求項１〜６のいずれか一項に記載の電池パックであって、さらに、
前記収納ケースの長手方向に延長され、該収納ケースの内部を長手方向と直交する短手方向に区画して前記複数の電池収納空間を画成する長手仕切板を備える電池パック。
【請求項８】
請求項７に記載の電池パックであって、さらに、
前記長手仕切板と交差して、前記複数の電池収納空間を構成する短手仕切板を備える電池パック。
【請求項９】
請求項１〜８のいずれか一項に記載の電池パックであって、
前記複数の二次電池セルは、その側面が絶縁耐熱板で被覆され、該絶縁耐熱板は、断面視において隣接する二次電池セルが最も近接する位置を中心に湾曲されてなる電池パック。
【請求項１０】
請求項９に記載の電池パックであって、
前記絶縁耐熱板が、マイカである電池パック。
【発明の詳細な説明】
【技術分野】
【０００１】
本発明は、電池パックに関する。
【背景技術】
【０００２】
収納ケース内に、複数本の円筒形の二次電池セルを収納した電池パックが、ノート型パソコンや携帯電子端末等の電子機器の電源として使用されている。この電池パックは、複数の円筒形の二次電池セルを直列や並列に接続して、容量を大きくしている。特に近年は電池パックの高容量化が求められる一方で、電池パックの携行性等の観点から、小型、軽量化も要求されている。そこで、二次電池セルの一本あたりの高容量化が進められ、また電池パックの内部で、二次電池セル同士を隙間なく並べる構成が採用されている。【０００３】
一方で二次電池セルは、内部ショートや過充電等、種々の原因で熱暴走を起こすことがある。複数の二次電池セルを隣接させた状態で、いずれかの二次電池セルが熱暴走すると、隣接する二次電池セルが加熱されて熱暴走を誘発し、これが伝搬して多数の二次電池セルの熱暴走を生じることがある。このため、いずれかの二次電池セルが熱暴走しても、他の二次電池セルに影響を及ぼさないようにすることが求められる。
【先行技術文献】
【特許文献】
【０００４】
【特許文献１】実開平６−８０２６０号公報
【特許文献２】特開２０１４−８６３４２号公報
【発明の概要】
【発明が解決しようとする課題】
【０００５】
本発明はこのような背景に鑑みてなされたものであり、その目的の一は、複数の二次電池セルを用いつつ、熱暴走の連鎖を回避した電池パックを提供することにある。
【課題を解決するための手段】
【０００６】
本発明の一の電池パックによれば、互いに直列及び／又は並列に接続している複数の二次電池セルと、前記複数の二次電池セルを収納する複数の電池収納空間を有する収納ケースとを備える電池パックであって、前記複数の電池収納空間の数は、前記複数の二次電池セルの数よりも多く、前記二次電池セルを収納しない電池収納空間に、吸熱体を配置することができる。上記構成により、いずれかの二次電池セルが熱暴走しても、吸熱体でもって発熱を吸収し、熱暴走の連鎖を抑制できる。また二次電池セルを収納していない電池収納空間を利用することで、収納ケース内の限られたスペースを有効活用し、電池パックの大型化を避けることもできる。【０００７】
また、本発明の他の電池パックによれば、上記構成に加えて、前記二次電池セルの外装缶を円筒形とすることができる。【０００８】
さらに、本発明のさらに他の電池パックによれば、上記何れかの構成に加えて、前記吸熱体を、その内部を中空状とする筒状に形成された金属製の部材で構成することができる。上記構成により、吸熱体を軽量としつつ、表面積を増やして吸熱効果を高めることができる。【０００９】
さらにまた、本発明のさらに他の電池パックによれば、上記何れかの構成に加えて、前記吸熱体の長さを前記二次電池セルよりも短く形成することができる。上記構成により、必要な体積を減じてより軽量としつつも吸熱効果を発揮させることができる。【００１０】
さらにまた、本発明のさらに他の電池パックによれば、上記何れかの構成に加えて、前記吸熱体を、前記電池収納空間において、該電池収納空間の長手方向において隣接する、前記二次電池セルが収納された他の電池収納空間に近接する側に偏心して配置することができる。上記構成により、吸熱対象の二次電池セルの端面に近付けて配置することにより、該二次電池セルの発熱時に吸熱効果を効果的に発揮させることができる。【００１１】
さらにまた、本発明のさらに他の電池パックによれば、上記何れかの構成に加えて、前記吸熱体を、アルミニウム製とすることができる。上記構成により、熱伝導に優れ、腐食等もなく安定した特性を発揮できる。【００１２】
さらにまた、本発明のさらに他の電池パックによれば、上記何れかの構成に加えて、さらに前記収納ケースの長手方向に延長され、該収納ケースの内部を長手方向と直交する短手方向に区画して前記複数の電池収納空間を画成する長手仕切板を備えることができる。【００１３】
さらにまた、本発明のさらに他の電池パックによれば、上記何れかの構成に加えて、さらに前記長手仕切板と交差して、前記複数の電池収納空間を構成する短手仕切板を備えることができる。【００１４】
さらにまた、本発明のさらに他の電池パックによれば、上記何れかの構成に加えて、前記複数の二次電池セルは、その側面が絶縁耐熱板で被覆され、該絶縁耐熱板は、断面視において隣接する二次電池セルが最も近接する位置を中心に湾曲させることができる。上記構成により、一方の二次電池セルが熱暴走して側面から排炎される際に、隣接する他の二次電池セルの側面に向かわないように排炎方向を規制でき、安全性が高められる。【００１５】
さらにまた、本発明のさらに他の電池パックによれば、上記何れかの構成に加えて、前記絶縁耐熱板をマイカで構成することができる。上記構成により、安価で高い耐熱性を持たせることができる。
【発明の効果】
【００１６】
本発明に係る電池パックによれば、いずれかの二次電池セルが熱暴走しても、吸熱体でもって発熱を吸収し、熱暴走の連鎖を抑制できる。また二次電池セルを収納していない電池収納空間を利用することで、収納ケース内の限られたスペースを有効活用し、電池パックの大型化を避けることもできる。
【図面の簡単な説明】
【００１７】
【図１】実施形態１に係る電池パックを示す斜視図である。
【図２】図１の電池パックを斜め下方から見た斜視図である。
【図３】図１の電池パックのＩＩＩ−ＩＩＩ線における断面図である。
【図４】図１の電池パックの平面図である。
【図５】図４のＶ−Ｖ線における断面図である。
【図６】図５の拡大断面図である。
【図７】図４の電池パックの蓋部を外した状態を示す分解斜視図である。
【図８】図７の電池パックの平面図である。
【図９】図４の電池パックの分解斜視図である。
【図１０】図８の電池パックから長手仕切板及び短手仕切板を外した状態を示す分解斜視図である。
【図１１】図１０の電池パックの、絶縁耐熱板と二次電池セルと吸熱体を分解した状態を示す分解斜視図である。
【図１２】比較例１に係る電池パックの排炎経路を示す模式断面図である。
【図１３】図１３Ａは比較例２に係る電池パックの排炎経路を示す模式断面図、図１３Ｂは実施形態１に係る電池パックの排炎経路を示す模式断面図である。
【図１４】実施形態１に係る電池パックの長手仕切板を示す拡大断面図である。
【図１５】比較例３に係る電池パックの長手仕切板を示す拡大断面図である。
【発明を実施するための形態】
【００１８】
以下、本発明の実施形態を図面に基づいて説明する。ただし、以下に示す実施形態は、本発明の技術思想を具体化するための例示であって、本発明は以下のものに特定されない。また、本明細書は特許請求の範囲に示される部材を、実施形態の部材に特定するものでは決してない。特に実施形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一若しくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（実施形態１）
【００１９】
本発明の実施形態１に係る電池パックを図１〜図１１に示す。これらの図において、図１は実施形態１に係る電池パック１００を示す斜視図、図２は図１の電池パック１００を斜め下方から見た斜視図、図３は図１の電池パック１００のＩＩＩ−ＩＩＩ線における断面図、図４は図１の電池パックの平面図、図５は図４のＶ−Ｖ線における断面図、図６は図５の拡大断面図、図７は図４の電池パックの蓋部を外した状態を示す分解斜視図、図８は図７の電池パックの平面図、図９は図４の電池パックの分解斜視図、図１０は図８の電池パックから長手仕切板及び短手仕切板を外した状態を示す分解斜視図、図１１は図１０の電池パックの、絶縁耐熱板と二次電池セルと吸熱体を分解した状態を示す分解斜視図を、それぞれ示している。電池パック１００は、内部に複数の二次電池セル１を収納しており、これを直列や並列に接続して容量を稼ぎ、充放電可能としている。この電池パック１００を駆動対象の外部機器と接続して、二次電池セル１を放電させることにより電力を供給する。ここでは、電池パック１００を接続する外部機器をノート型パソコンとする例を示しているが、本発明の電池パックは接続する外部機器をノート型パソコンに限定せず、他の電子機器や電気機器、例えば携帯電話や携帯型ＤＶＤプレーヤ、携帯型カーナビ、携帯音楽プレーヤ、あるいは電動工具やアシスト自転車等とすることもできる。また電池パックは、外部機器に直接、着脱式に装着して使用する形態の他、外部機器の内部に収納したり埋め込んだり、あるいはケーブル等を介して接続する形態としてもよい。
（収納ケース１０）
【００２０】
電池パック１００は、図１、図２、図４、図５等に示すように外観を一方向に延長した箱形に形成している。箱形の本体は収納ケース１０で構成され、図３、図５、図７、図９に示すように蓋部１１とケース本体１２に二分割されている。収納ケース１０は、電池パック１００で電力を供給する駆動対象の電気機器（ここではノート型パソコン）と接続するための接続機構１３と、コネクタ１４を備えている。また、電池パック１００を電気機器に装着した状態で維持するためのロック機構１５を設けてもよい。収納ケース１０は、絶縁性と断熱性に優れた材質、例えば、ポリカーボネート等の樹脂製とする。
【００２１】
収納ケース１０の内部には、図３、図５〜図１１に示すように、複数の二次電池セル１や回路基板２０、リード板２１、２２、２５等を収納する。この例では、二次電池セル１として、外装缶を円筒状とする円筒形二次電池セルを用いている。ここでは二次電池セル１として、第一の二次電池セル１Ａ、第二の二次電池セル１Ｂ、第三の二次電池セル１Ｃ、第四の二次電池セル１Ｄの４本を使用し、この内の２本を直列に接続した電池列を２組、並列に接続している。二次電池セルの本数や接続形態は自由に変更することができる。
【００２２】
円筒形二次電池セル１はリチウムイオン二次電池である。ただ、円筒形二次電池セルは、ニッケル水素電池、ニッケルカドミウム電池などの充放電可能な二次電池、特に使用状態で高温に発熱する電池を使用できる。
【００２３】
また二次電池セル１Ａ、１Ｂ、１Ｃ、１Ｄ同士は、リード板２１、２２、２５で電気的に直列や並列に接続される。リード板２１、２２、２５は導電性に優れた金属板を折曲して構成される。リード板２１、２２、２５は、二次電池セル１Ａ、１Ｂ、１Ｃ、１Ｄの端面の電極に溶接される。また二次電池セル１Ａ、１Ｂ、１Ｃ、１Ｄ同士を接続した電池集合体の総＋、総−は、回路基板２０に接続される。回路基板２０は、充放電回路や保護回路を実装している。また回路基板２０は、各二次電池セル１の電圧を把握するため、中間電位を測定するための中間電位用リード線を接続したり、各二次電池セル１の温度を検出するための温度検出部の電位を接続することもできる。温度検出部には、サーミスタなどが利用される。図１１等の例では、回路基板２０にコネクタ１４を直接接続しており、収納ケース１０の側面側に垂直姿勢で配置されている。
（長手仕切板３０）
【００２４】
また収納ケース１０内には、図１１に示すように、二次電池セル１を収納するための電池収納空間１６が区画されている。電池収納空間１６を区画するために、収納ケース１０内に長手仕切板３０と短手仕切板４０が配置される。長手仕切板３０は、収納ケース１０の長手方向に沿って配置される。すなわち、収納ケース１０の長手方向に沿う両側の側面壁１７とほぼ平行に、側面壁１７同士のほぼ中央に配置されて、収納ケース１０の内部空間を二分割している。この長手仕切板３０は、絶縁性と断熱性に優れた材質、例えば、マイカ等とする。
（短手仕切板４０）
【００２５】
一方、短手仕切板４０は、収納ケース１０の内部空間を、収納ケース１０の短手方向に沿って、すなわち収納ケース１０の長手方向の両側の端面壁１８とほぼ平行に、端面壁１８同士の間で内部空間を長手方向に三分割するように配置される。短手仕切板４０は、絶縁性と断熱性に優れた材質で構成される。好ましくは、短手仕切板４０をマイカで構成する。マイカは難燃性、不燃性が高く、絶縁性にも優れ、比較的安価であり、断熱性と絶縁性を要する部材として好適である。
【００２６】
長手仕切板３０と短手仕切板４０を互いに直交する姿勢で交差させるよう、各仕切り板にはスリットが形成される。長手仕切板３０は、長手側スリット３２を、短手仕切板４０は短手側スリット４２を、それぞれを形成している。各スリットの幅は、交差させる他方の仕切板の厚さよりも若干大きくする。
【００２７】
このように長手仕切板３０と短手仕切板４０を組み合わせて、図１０、図１１に示すように収納ケース１０の内部空間を６つに分割しており、この内の幾つかに二次電池セル１を収納する電池収納空間１６を区画している。電池収納空間１６を個別に形成することで、ここに収納される二次電池セル１は互いに物理的に隔離される。この結果、二次電池セル１間の電気的絶縁と断熱が図られる。
【００２８】
なお、以上の例では長手仕切板３０を１枚使用して、長手方向に平行に配置することで収納ケース１０の内部空間を短手方向に２分割した例を説明したが、本発明はこの構成に限らず、２枚以上の長手仕切板を使用して収納ケースの内部空間を３以上に区分することもできる。同様に、以上の例では短手仕切板４０を２枚使用して、短手方向に平行に配置することで収納ケースの内部空間を３分割した例を説明したが、本発明はこの構成に限らず、１枚の短手仕切板を使用して収納ケースの内部空間を２分割したり、あるいは３枚以上の短手仕切板を使用して、収納ケースの内部空間を４分割以上とすることもできる。
【００２９】
ここで、収納ケース１０の内部空間を区分して複数の電池収納空間１６を形成しつつ、二次電池セルの本数は、電池収納空間の数よりも少なくする。図７、図８等に示す実施形態１に係る電池パック１００の例では、電池収納空間１６を６つとしつつも、二次電池セル１の本数を４本としている。
【００３０】
さらにまた実施形態１に係る電池パック１００の例では、４本の二次電池セルとして第一の二次電池セル１Ａ、第二の二次電池セル１Ｂ、第三の二次電池セル１Ｃ、第四の二次電池セル１Ｄを使用し、２本を直列に接続した電池列を構成して、この電池列を並列に接続している。具体的には、第一の二次電池セル１Ａと第三の二次電池セル１Ｃの２本を、端面同士が対向するように並べて第一電池列とし、一方で第二の二次電池セル１Ｂと第四の二次電池セル１Ｄの２本を、端面同士が対向するように並べて第二電池列としている。ただ、直列数は必ずしも２以上とする必要はなく、１本の二次電池セルで電池列を構成して、これを並列に接続してもよい。
（長手側スリット３２）
【００３１】
図１０の例では、長手側スリット３２は長手仕切板３０の上端側に、短手側スリット４２は短手仕切板４０の下端側に、それぞれ形成されている。また長手仕切板３０には、リード板２２、２５を通すためのリード用スリット３１が、長手側スリット３２とは別に設けられている。このリード用スリット３１は、長手仕切板３０の下端側に形成されている。このように、リード用スリット３１と長手側スリット３２とを、互いに逆の端縁に形成したことで、リード板２２、２５と短手仕切板４０を予め収納ケース１０にセットした状態で長手仕切板３０をセットする作業を回避できる。すなわち、長手仕切板３０を収納ケース１０にセットする際に、リード板２２、２５と短手仕切板４０を、同時にリード用スリットと長手側スリットに挿入するように位置合わせしなければならない事態を回避し、まず一方（例えばリード板２２、２５のみ）をリード用スリット３１に案内して長手仕切板３０をセットした後、短手仕切板４０をセットするようにして、短手側スリット４２の位置決めのみを行うことができる。このように、スリットへの位置決め作業を分けることで、作業性を向上させることができる。
【００３２】
ただ、本発明は長手仕切板３０と短手仕切板４０とで、長手側スリット３２及び短手側スリット４２を設ける向きを逆にすることもできる。すなわち、長手側スリット３２には、リード板も挿入されるように構成してもよい。このように、長手側スリットを、リード板と短手仕切板を通す共通のスリットとすることで、余分な隙間の発生を防ぎ、安全性を高めることができる。
【００３３】
なお、電池収納空間１６を規定するための短手仕切板４０の枚数は、要求される断熱性能に応じて調整できる。図１１の例では１枚としているが、２枚以上設けてもよい。
（リブ）
【００３４】
さらに収納ケース１０は、その内面に、長手仕切板３０を保持するための一対のリブを形成している。具体的には図３の断面図に示すように、収納ケース１０のケース本体１２の内面に、長手方向に延長された一対のリブ３４を、ほぼ中心の位置に直立させている。リブ３４は、それぞれケース本体１２、蓋部１１と一体に形成されている。この一対のリブ３４の間に長手仕切板３０の下端を挿入して、長手仕切板３０を収納ケース１０内で保持する。
（接着材３６）
【００３５】
さらに、各リブと長手仕切板３０との界面には、難燃性の接着材３６を充填している。これによって、リブと長手仕切板３０との隙間を埋めて、二次電池セルの熱暴走時に生じ得る排炎が、隣接する二次電池セルに及ぶ事態を回避している。
【００３６】
上述の通り、二次電池セルの側面同士の間には長手仕切板３０を配置しており、万一二次電池セルの一方が熱暴走して側面側に炎や高圧ガスを噴き出しても、長手仕切板３０でもって隣接する他方の二次電池セルに被害が及ぶことを阻止している。一方で、図１２の断面図に示す比較例１に係る電池パックにおいて、リブ３４Ｙと長手仕切板３０Ｙとの接続部分に隙間３５Ｙがあると、炎がこの隙間３５Ｙを通じて隣接する二次電池セル側に漏れることが考えられる。
【００３７】
そこで、図３の断面図に示したとおり、リブ３４と長手仕切板３０の下端との間、及び長手仕切板３０の上端に、それぞれ難燃性の接着材３６を充填して隙間を埋めている。これより、リブ３４と長手仕切板３０との隙間が低減されて、排炎等の経路が形成される事態を回避できる。難燃性の接着材３６としては、シリコーン系樹脂等が利用できる。このような接着材３６で隙間を埋めることにより、一時的な目止め効果が発揮される。特に炎や高圧ガスの噴出は一般に数秒程度の短時間であることから、これらの勢いを抑制できれば隣接する二次電池セルが直接炎や高圧ガスに晒される事態を回避でき、延焼の防止効果が十分に期待できる。
（絶縁耐熱板２）
【００３８】
さらに二次電池セルは、側面を絶縁耐熱板２で被覆している。絶縁耐熱板２は、側面同士が対向するように隣接する二次電池セル１の各側面において、少なくとも対向する領域を被覆するように設けられる。この絶縁耐熱板２は、二次電池セル１の側面に沿って湾曲されている。これにより、絶縁耐熱板２を二次電池セル１の側面に沿わせて密着させ易い姿勢で被覆することができ、限られたスペース内で効率良く断熱性を高めることができる。
【００３９】
二次電池セルを並列に並べた状態で側面から排炎が生じると、図１３Ａの断面図に示す比較例２に係る電池パックの場合、長手仕切板３０Ｚと収納ケース１０Ｚとの隙間から隣接する二次電池セル１に炎が流れ込むことが考えられる。排炎の発生箇所によっては長手仕切板３０Ｚの上下で収納ケース１０Ｚとの隙間から炎が漏れる排出経路が形成されることが考えられる。
【００４０】
これに対して、図１３Ｂに示すように湾曲させた絶縁耐熱板２を設けたことで、排炎が生じても、湾曲させた絶縁耐熱板２によって排炎方向が隣接する二次電池セル１側でなく、収納ケース１０内の逆方向に向けられることで、隣接する二次電池セル１が直接高温の炎やガスに晒される事態を回避して、延焼や類焼を阻止できる。
【００４１】
図３等に示す絶縁耐熱板２は、断面視において一対の二次電池セル１が最も近接する位置を中心に、Ｕ字状に湾曲されている。これにより、二次電池セル１に排炎が生じても、側面でなく背面側の上下方向に抜けるように排炎方向を規制できるので、安全性が高められる。
【００４２】
またこのような絶縁耐熱板２には繊維質を含めることができる。また絶縁耐熱板２を、無機材料の板材とする。好適には、絶縁耐熱板２をマイカで構成する。これにより、安価で高い耐熱性を持たせることができる。
（断熱部５０）
【００４３】
さらに、長手仕切板３０は、断熱部５０を形成する。図３及び図１４の断面図に示す例では、右側の第一の二次電池セル１Ａの円筒形の側面と面する側に、この円筒形の側面と接触するように突出させた第一断熱部５１を形成している。また左側の第二の二次電池セル１Ｂの円筒形の側面と面する側には、この円筒形の側面と接触するように突出させた第二断熱部５２を形成している。これにより、長手仕切板３０から部分的に突出させて二次電池セルの円筒形の側面と接触させることで、長手仕切板３０と二次電池セルとを離間させて空気層を形成して断熱性を高めることができる。
【００４４】
収納ケース１０内で並列に並べて円筒形の側面同士が隣接する二次電池セル１の一方で熱暴走が生じた場合、図１５に示す比較例３に係る電池パックでは、この間に介在させた長手仕切板３０’を介して熱伝導が生じることが考えられる。これを防ぐためには、長手仕切板を、より断熱性能の高い材質としたり、あるいは厚さを厚くする等の方法が考えられる。しかしながら、材質の変更や厚膜化はコストアップを招き、特に厚膜化によって長手仕切板の重量が増すため、小型軽量化が求められる電池パックにおいては好ましくない。
【００４５】
そこで実施形態１の電池パック１００においては、図１４に示すように長手仕切板３０の両面から、部分的に突出させた断熱部５０を設けている。そして、この断熱部を、二次電池セル１の円筒形の側面の頂部近傍と接するように位置させることで、二次電池セル同士の距離Ｄ１２を、図１５に示すように断熱部のない場合の距離Ｄ１１と比べて、大きくすることができる。二次電池セル同士を離間させることで、この間の空気層が拡大され、これが断熱層として作用し、二次電池セル間の断熱効果が高められる。またこの構成であれば、長手仕切板自体を薄型化することが可能となるので、電池パック全体の軽量化に寄与し得る。
【００４６】
断熱部５０は、長手仕切板３０と一体に形成することもできるが、好ましくは長手仕切板３０とは別部材とする。これによって断熱部を長手仕切板と異なる材質とできるので、断熱部５０を、長手仕切板３０よりも断熱性の高い材質で構成することが可能となる。これにより、断熱性の高い部材を長手仕切板３０の全面に設けずに部分的に形成して、コストの削減と軽量化を図ることができる。断熱性に優れた断熱部５０としては、上述の通りマイカが好適に利用できる。また断熱部５０を長手仕切板３０と別部材とする場合は、断熱部を長手仕切板３０の表面に接着する。接着には、両面テープや接着剤が利用できる。
【００４７】
なお断熱部５０は、長手仕切板３０の長手方向に沿って延長して形成する他、長手方向に部分的に欠如させた状態としてもよい。図１０等の例では、長手側スリット３２を設けた部位で、断熱部５０を切り欠いた状態としている。また、このようなスリット状に延長した断熱部とする他、矩形状に形成して離間して設けることもできる。断熱部を長手方向に部分的に設けても、これと接する円筒形二次電池セルの側面と接触して断熱層を形成することができる。また、断熱部の使用量を低減できるので、より低コスト、軽量化にも資する。
【００４８】
また第一断熱部５１及び第二断熱部５２は、図１４に示すように断面視において長手仕切板３０の左右で中心をずらして配置してもよい。このように左右の二次電池セル１の断面の中心をずらして配置することで、長手仕切板３０の左右で二次電池セル１に押されて応力が作用する位置をずらし、応力の集中を緩和することが可能となる。また好ましくは、断面視において二次電池セル１の断面の中心をずらしつつも、第一断熱部５１と第二断熱部５２が、長手仕切板３０の左右で部分的に重複するように配置する。このようにすることで、機械的な剛性を高めることが可能となる。
（吸熱体６０）
【００４９】
収納ケース内に吸熱体６０を配置することで、熱暴走を抑制する。これにより、収納ケース内のいずれかの二次電池セルが熱暴走しても、吸熱体６０でもって熱暴走した二次電池セルの発熱を吸収し、隣接する二次電池セルへの熱暴走の連鎖を抑制できる。吸熱体６０は、電池収納空間１６の数が二次電池セルの数よりも多いため、二次電池セルが収納されていない電池収納空間に配置することができ、吸熱体６０用のスペースを別途用意することなく、限られた容積の収納ケース内に効率良く吸熱体６０を配置できる。
【００５０】
吸熱体６０は、内部を中空状とする筒状に形成された金属製の部材である。これにより、吸熱体６０を軽量としつつ、表面積を増やして吸熱効果を高めることができる。このような金属製の吸熱体６０として、アルミニウム製パイプが好適に使用できる。アルミニウムは軽量で熱伝導性が高く、安価であり腐食等もなく安定した特性を発揮できる。
【００５１】
また吸熱体６０は、二次電池セルと同じ長さとする必要は必ずしもなく、その長さを二次電池セルよりも短く形成することができる。短くすることで、材料コストと重量を低減できる。使用する二次電池セルの容量や、発熱時の温度等、要求される吸熱量に応じて、吸熱体６０の長さを適宜設定する。
【００５２】
なお、吸熱体６０を短くする場合は、吸熱体６０が電池収納空間１６内で移動しないように固定する。例えば、両面テープや接着剤を使用する。また吸熱体６０を二次電池セルよりも短くした場合は、電池収納空間１６において、この電池収納空間１６の長手方向において隣接する、二次電池セルが収納された他の電池収納空間１６側に近接するように、偏心して固定する。このように吸熱体６０を吸熱対象の二次電池セルの端面に近付けて配置することにより、この二次電池セルの発熱時には吸熱効果を効果的に発揮させることができる。
【産業上の利用可能性】
【００５３】
本発明に係る電池パックは、ノート型パソコン、携帯電話、携帯型ＤＶＤプレーヤ、携帯型カーナビ、携帯音楽プレーヤ、電動工具、アシスト自転車等の電池で駆動される機器用の、充放電可能な電池パックとして好適に利用できる。
【符号の説明】
【００５４】
１００…電池パック
１…二次電池セル
１Ａ…第一の二次電池セル
１Ｂ…第二の二次電池セル
１Ｃ…第三の二次電池セル
１Ｄ…第四の二次電池セル
２…絶縁耐熱板
１０、１０Ｚ…収納ケース
１１…蓋部
１２…ケース本体
１３…接続機構
１４…コネクタ
１５…ロック機構
１６…電池収納空間
１７…側面壁
１８…端面壁
２０…回路基板
２１…リード板
２２…リード板
２５…リード板
３０、３０Ｙ、３０Ｚ、３０’…長手仕切板
３１…リード用スリット
３２…長手側スリット
３４、３４Ｙ…リブ
３５Ｙ…隙間
３６…接着材
４０…短手仕切板
４２…短手側スリット
５０…断熱部
５１…第一断熱部
５２…第二断熱部
６０…吸熱体
【図１】
2019150773.tif 000003
【図２】
2019150773.tif 000004
【図３】
2019150773.tif 000005
【図４】
2019150773.tif 000006
【図５】
2019150773.tif 000007
【図６】
2019150773.tif 000008
【図７】
2019150773.tif 000009
【図８】
2019150773.tif 000010
【図９】
2019150773.tif 000011
【図１０】
2019150773.tif 000012
【図１１】
2019150773.tif 000013
【図１２】
2019150773.tif 000014
【図１３】
2019150773.tif 000015
【図１４】
2019150773.tif 000016
【図１５】
2019150773.tif 000017
【国際調査報告】
2019150773.tif 000018
2019150773.tif 000019
2019150773.tif 000020